(57)【特許請求の範囲】
【請求項１】
ディスクを装置にセットするディスクトレーと、
ディスクを回転駆動し、信号を記録再生する部品を取り付けたメカシャーシと、
前記ディスクトレーのローディングおよびアンローディング動作と連動して上下に移動する可動シャーシと、
前記メカシャーシと前記可動シャーシをそれぞれ外面に取り付けて互いに振動絶縁するインシュレータと、
を備え、
前記ディスクトレー裏面に複数の凸部を設けると共に、前記可動シャーシに複数の凹部もしくは貫通孔を設け、前記インシュレータのディスクトレー側に開口部を設け、
前記凸部の個数は、凹部もしくは貫通孔の個数と開口部の個数との和であり、前記前記ディスクトレー裏面の凸部が、前記インシュレータの開口部と、前記可動シャーシに設けられた凹部もしくは貫通孔に挿入されることを特徴とするディスク装置。
【請求項２】
ディスクを装置にセットするディスクトレーと、
ディスクを回転駆動し、信号を記録再生する部品を取り付けたメカシャーシと、
前記ディスクトレーのローディングおよびアンローディング動作と連動して上下に移動する可動シャーシと、
前記メカシャーシと前記可動シャーシを外面にそれぞれ取り付けて互いに振動絶縁するインシュレータと、
を備え、
前記ディスクトレー裏面に複数の凸部と、複数の凹部もしくは貫通孔を設けると共に、前記可動シャーシに複数の凸部を設け、前記インシュレータのディスクトレー側に開口部を設け、
前記ディスクトレー裏面に設けられた凸部の個数は、前記インシュレータの開口部の個数に等しいと共に、前記ディスクトレー裏面に設けられた凹部もしくは貫通孔の個数は前記可動シャーシに設けられた凸部の個数に等しく、
前記ディスクトレー裏面に設けられた凸部が、前記インシュレータの開口部に挿入され、一方、前記可動シャーシに設けられた凸部が、前記ディスクトレーに設けられた凹部もしくは貫通孔に挿入されることを特徴とするディスク装置。
【請求項３】
前記インシュレータは、略碗状であり、その外周上部にメカシャーシを取り付け、底面には可動シャーシを取り付けたことを特徴とする請求項１又は２記載のディスク装置。
【請求項４】
前記ディスクトレー裏面に設けられた凸部を、弾性体で構成したことを特徴とする請求項１、２、３又は４記載のディスク装置。
【発明の詳細な説明】
【０００１】
【発明の属する技術分野】
本発明は、ＣＤ、ＣＤ−ＲＯＭ、ＤＶＤ等の光ディスクに用いられる、緩衝装置を備えたディスク装置に関する。
【０００２】
【従来の技術】
ＣＤ、ＣＤ−ＲＯＭ、ＤＶＤ等の光ディスク装置は、膨大な情報が高密度に記録されており、今後、さらに記録容量が増加していくものと思われる。また、光ディスク装置はコンピュータの周辺機器として机上に立てて使う場合も多く、従って、種々な使用状態に耐えられるように光ディスク装置に備えられる緩衝装置も、なお一層高性能なものが要求されてきている。
【０００３】
図６は、従来のディスク装置の断面図である。このディスク装置は、光ディスク２を装置内にセットするためのディスクトレー５１、このディスクトレー５１を装置内に格納し（以下、「ローディング」と記す）、もしくは装置内から排出する（以下、「アンローディング」と記す）ディスクトレー駆動系（図示せず）、セットされた光ディスク２を記録再生するためのメカユニット５３、メカユニット５３に取り付けられているスピンドルモータ４、スピンドルモータ４の先端部に設けられた光ディスク２を載置するターンテーブル５、光ディスク２を強固に挟み込み光ディスク２と共に回転するクランパ６、このクランパ６をローディング／アンローディング時のディスクトレー５１と干渉しないようにメカユニット３の略真上で支持するクランパ天板７、メカユニット５３をローディング／アンローディングするディスクトレー５１の動作に合わせて回動させるメカユニット駆動系（図示せず）等から構成されている。
【０００４】
メカユニット５３はメカシャーシ５８、可動シャーシ５９、インシュレータ６０からなる。メカシャーシ５８には、スピンドルモータ４、光ディスク２に記録再生する光ピックアップ１１、この光ピックアップ１１の光ディスク２の半径方向にスキャンの案内を行なうスライド軸１２、スライド軸１２を固定するスライド軸固定部１３、光ピックアップ１１をスキャンさせるスレッド機構系（図示せず）が取り付けられている。
【０００５】
可動シャーシ５９は、ローディング／アンローディングするディスクトレー５１の動作に合わせて回動するときの回転中心である回転軸部５９ａ、インシュレータ取付部５９ｂ、装置の縦置き時のインシュレータ変形規制部５９ｃを有している。メカシャーシ５８は、複数の略円筒形状のインシュレータ６０を介してこの可動シャーシ５９に取り付けられている。また、装置の縦置き時に効力を示すインシュレータ変形規制部５９ｃは、可動シャーシ５９の裏面に取り付けられた板部５９ｃａと、この板部５９ｃａに形成され、上記複数のインシュレータの中空部６０ｃを貫く複数の凸部５９ｃｂから構成されている。
【０００６】
インシュレータ変形規制部５９ｃについて図７に基づいて説明する。図７は従来のディスク装置のインシュレータ部の拡大図である。
インシュレータ６０の外周面上端にはメカシャーシ５８を取り付けるための括れ部６０ａ、外周面下端には可動シャーシ５９を取り付けるための括れ部６０ｂがそれぞれ設けられている。また、括れ部６０ａに対向する中空部６０ｃの内面に、凸部６０ｄが設けられている。当然ながら、この凸部６０ｄは中空部６０ｃの中心に向かって突出している。
【０００７】
可動シャーシ５９に設けられたインシュレータ変形規制部５９ｃの凸部５９ｃｂは、略円柱状をなし、インシュレータ６０の中空部６０ｃを下側から貫く形で突出している。その先端は、中空部６０ｃの内面に形成された凸部６０ｄに達し、その外周面は凸部６０ｄに対して僅かに離間している。離間させる理由は、ディスク装置を横置きにしたときの耐振性能を確保するためである。
以上の構成により、装置を縦置きにしたとき、インシュレータ６０の変形により垂れ下がるメカシャーシ５８の下降量を規制すると共に、縦置き時及び横置き時の耐振性能を確保できる。
【０００８】
つぎに、ディスクトレー５１のローディング／アンローディングについて説明する。
まず、ローディングは次のようにして行なわれる。
図６（ａ）に示すように、光ディスク２の有無にかかわらず、ディスク格納スイッチ（図示せず）が押されるか、もしくは外力によりディスク装置内にディスクトレー５１が押し込まれたことをスイッチ１５が検出したことより、ディスクトレー駆動系（図示せず）がディスクトレー５１をディスク装置内に格納する動作を開始する。このとき、ディスク装置内のメカユニット５３は図６（ｂ）に示すように、可動シャーシ５９の回動軸部５９ａを中心としてスピンドルモータ４側が下がった状態となっていて、ディスクトレー５１のローディング動作を妨げないように待機している。
【０００９】
ディスクトレー５１が装置内の所定位置に格納されたことをスイッチ１６が検出すると、メカユニット駆動系（図示せず）がメカユニット５３を可動シャーシ５９の回動軸部５９ａの回りに回動させる。回動途中で光ディスク２をスピンドルモータ４のターンテーブル５に載置した後、更に回動させる。これにより、ディスクトレー５１と光ディスク２を離間させる。クランパ６と上記ターンテーブル５が磁力により吸引しあい、強固に光ディスク２を挟み込む位置まで上記メカユニット５３を回動させて、ローディング動作を完了する。このとき光ディスク２は図６（ｃ）に示すように略水平となる。
【００１０】
一方、アンローディングは次のようにして行なわれる。
光ディスク２の有無にかかわらず、ディスク取り出しスイッチ（図示せず）が押されることにより、ディスクトレー駆動系（図示せず）がディスクトレー５１をディスク装置外に排出する動作を開始する。メカユニット駆動系（図示せず）がメカユニット５３を可動シャーシ５９の回動軸部５９ａを中心として、ローディング時とは逆方向に回転させる。磁力により吸引しあうクランパ６とターンテーブル５を引き離し、ディスク２をディスクトレー５１に残したまま更に回転させる。
【００１１】
メカユニット５３が所定位置まで回動したことをスイッチ（図示せず）が検出すると、ディスクトレー駆動系がディスクトレー５１をディスク装置外に排出する動作を開始する。その後、ディスクトレー５１が所定位置まで排出されたことをスイッチ１５が検出するとディスクトレー駆動系は動作を終了する。
【００１２】
【発明が解決しようとする課題】
さて、設計的にメカシャーシ５８と可動シャーシ５９の距離を離す必要が生じたとき、可動シャーシ５９に設けられた凸部５９ｃｂも、それに伴い長くする必要がある。しかしながら、インシュレータ６０の内径もこれに比例して大きくしなければ、凸部５９ｃｂの外形は大きくできない。従って、この場合、凸部５９ｃｂは細長い形状となり、その剛性が低下してメカシャーシ５８を適正に保持できなくなるという問題があった。また、インシュレータ６０の内径を変えられない場合は凸部５９ｃｂ自体の剛性を高める必要があるが、これはディスク装置の質量増加を伴うことになるものであった。
【００１３】
また、設計的にインシュレータ６０の外形を小さくする必要が生じたとき、通常内径もそれに伴って小さくなるので、可動シャーシ５９に設けられた凸部５９ｃｂの外形も小さくなってしまう。このため、上述したように、凸部５９ｃｂは細長い形状となり、その剛性が低下してメカシャーシ５８を適正に保持できなくなる。また、インシュレータ６０の内径を変えられない場合は、凸部５９ｃｂ自体の剛性を高める必要があるが、これはディスク装置の質量増加を伴うことになる。
【００１４】
本発明は、ディスク装置の質量増加を伴うことなく、メカシャーシを適正に保持して振動を効果的に減衰できるディスク装置を提供することを目的とする。
【００１５】
【課題を解決するための手段】
請求項１の発明は、ディスクを装置にセットするディスクトレーと、ディスクを回転駆動し、信号を記録再生する部品を取り付けたメカシャーシと、前記ディスクトレーのローディングおよびアンローディング動作と連動して上下に移動する可動シャーシと、前記メカシャーシと前記可動シャーシをそれぞれ外面に取り付けて互いに振動絶縁するインシュレータと、を備えたディスク装置である。そして、前記ディスクトレー裏面に複数の凸部を設けると共に、前記可動シャーシに複数の凹部もしくは貫通孔を設け、前記インシュレータのディスクトレー側に開口部を設け、前記凸部の個数は、凹部もしくは貫通孔の個数と開口部の個数との和であり、前記ディスクトレー裏面の凸部が、前記インシュレータの開口部と、前記可動シャーシに設けられた凹部もしくは貫通孔に挿入されることを特徴とする。
【００１６】
請求項２の発明は、ディスクを装置にセットするディスクトレーと、ディスクを回転駆動し、信号を記録再生する部品を取り付けたメカシャーシと、前記ディスクトレーのローディングおよびアンローディング動作と連動して上下に移動する可動シャーシと、前記メカシャーシと前記可動シャーシを外面にそれぞれ取り付けて互いに振動絶縁するインシュレータと、を備えたディスク装置である。そして、前記ディスクトレー裏面に複数の凸部と、複数の凹部もしくは貫通孔を設けると共に、前記可動シャーシに複数の凸部を設け、前記インシュレータのディスクトレー側に開口部を設け、前記ディスクトレー裏面に設けられた凸部の個数は、前記インシュレータの開口部の個数に等しいと共に、前記ディスクトレー裏面に設けられた凹部もしくは貫通孔の個数は前記可動シャーシに設けられた凸部の個数に等しく、前記ディスクトレー裏面に設けられた凸部が、前記インシュレータの開口部に挿入され、一方、前記可動シャーシに設けられた凸部が、前記ディスクトレーに設けられた凹部もしくは貫通孔に挿入されることを特徴とする。
【００１７】
請求項３の発明は、請求項１又は２記載のディスク装置であって、前記インシュレータは、略碗状であり、その外周上部にメカシャーシを取り付け、底面には可動シャーシを取り付けたことを特徴とする。
【００１８】
請求項４の発明は、請求項１、２、３又は４記載のディスク装置であって、前記ディスクトレー裏面に設けられた凸部を、弾性体で構成したことを特徴とする。
【００１９】
上記構成を採ることにより、本発明のディスク装置にあっては、ディスクトレー裏面の凸部が、前記可動シャーシに設けられた凹部もしくは貫通孔に挿入される（あるいは、前記可動シャーシに設けられた凸部が、ディスクトレーに設けられた凹部もしくは貫通孔に挿入される）ので、可動シャーシとディスクトレーが位置決めされる。このため、ディスクトレー裏面の凸部と、前記インシュレータの開口部との位置決めが正確になされ、ディスクトレー裏面の凸部が、インシュレータの開口部に確実に挿入される。また、ディスクトレー裏面の凸部が、インシュレータの開口部に挿入されることによって、インシュレータ変形を規制する。従来技術のように、インシュレータ変形規制部を、可動シャーシに設けず、ディスクトレーに設けたことで、設計自由度が高く、振動を効果的に減衰することが可能となる。また、縦置き時のインシュレータ変形規制部の設計自由度が高く、振動を効果的に減衰する設計可能となる。
【００２０】
また、請求項３の発明にあっては、碗形状のインシュレータの底部に可動シャーシを取り付ける。したがって、インシュレータの外周部に取り付けるより、底部に取り付ける方が安定性もよく、例えばビスによる強固な固定が可能となる。こうして、メカシャーシと可動シャーシとの振動絶縁を向上させることが可能となる。
【００２１】
さらに、請求項４の発明にあっては、ディスクトレー裏面に設けた凸部を弾性体で構成するので、ディスク装置の縦置き時等にインシュレータの弾性と強調して、耐振特性を最適化することができる。
【００２２】
【発明の実施の形態】
以下、本発明の実施の形態について、図面を参照しながら説明する。
図１は本発明に係るディスク装置のディスク格納動作状態を示す断面図であり、（ａ）はディスクのローディング前の状態の断面図であり、（ｂ）はローディング中の状態の断面図であり、（ｃ）はローディング後の状態の断面図である。
【００２３】
このディスク装置は、図６の従来のディスク装置とほぼ同様の構成であるので、同一部分には同一符号を付し、説明は省略する。本実施形態が、従来と異なる部分は、ディスクトレー１とメカユニット３である。以下、詳しく説明する。
【００２４】
図２に示すように、ディスク２を装置内にセットするためのディスクトレー１の裏面には、凸部１ａ〜１ｆが形成されている。上記凸部１ａ〜１ｆは、先端部のみ必要最小形状となっていて、ディスクトレー１の裏面の根元部を太くすることにより、剛性を向上させている。
【００２５】
メカユニット３は、メカシャーシ８、可動シャーシ９、インシュレータ１０からなる。図３は、メカユニット３の上面図である。
【００２６】
メカシャーシ８には、従来のメカシャーシ８と同様に、スピンドルモータ４、光ディスク２に記録再生する光ピックアップ１１、この光ピックアップ１１の光ディスク２の半径方向にスキャンの案内を行なうスライド軸１２、スライド軸１２を固定するスライド軸固定部１３、光ピックアップ１１をスキャンさせるスレッド機構系１４が取り付けられている。
【００２７】
可動シャーシ９は、ローディング／アンローディングするディスクトレー１の動作に合わせて回動するときの回転中心である回転軸部９ａ、インシュレータ取付溝部９ｂを有している。そして、貫通孔９ｃが１個、小判型の貫通孔９ｄが１個、設けられている。
【００２８】
インシュレータ１０について図４を参照しながら説明する。
インシュレータ１０は略円筒形状であって、その外周面上端にはメカシャーシ８を取り付けるための括れ部１０ａ、外周面下端には可動シャーシ９を取り付けるための括れ部１０ｂがそれぞれ設けられている。また、中空部１０ｃが設けられていて、この中空部１０ｃの内面上部には、凸部１０ｄが設けられている。この凸部１０ｄは、当然ながら中空部１０ｃの中心部に突出している。
【００２９】
ディスクトレー１の裏面に設けられた４個の凸部１ｃ，１ｄ，１ｅ，１ｆはインシュレータ１０の４つ中空部１０ｃを上側から貫くように挿入された場合、その先端は、中空部１０ｃ内面に形成された凸部１０ｄに対し、僅かに離間する位置にある。
【００３０】
このように構成することにより、ディスク装置を縦置きにしたとき、インシュレータ１０の変形により垂れ下がるメカシャーシ８の下降量を規制すると共に、縦置き時及び横置き時の耐振性能を確保できる。
【００３１】
さらに、メカシャーシ８と可動シャーシ９の距離を変える設計的な変更や、装置の小型軽量化を目的とした設計的変更により、インシュレータ１０の内径を小さくしたり、インシュレータ１０の高さ方向を長くしたりするときに、インシュレータ１０の変形規制部をディスクトレー１の裏面に独立して構成しているので、無理なくこれらの変更を行なうことが可能となる。
【００３２】
また、ディスクトレー１の裏面に設けられたインシュレータ１０の変形を規制する凸部１ｃ〜１ｆ全体、もしくは先端のみを弾性体で構成し、この弾性を調整することにより、インシュレータ１０の弾性と強調して、ディスク装置を縦置きにしたときの耐振特性を最適化することも可能である。
【００３３】
つぎに、ディスクトレー１のローディング／アンローディングの動作による凸部１ａ〜１ｆの挿入動作について説明する。ローディング／アンローディングの動作自体については、従来技術で説明した動作と同じなので、説明は省略する。
【００３４】
図１（ｃ）に示すように、メカユニット駆動系（図示せず）がメカユニット３を可動シャーシ９の回動軸部９ａの回りに回動させ、ディスクトレー１と平行にして、ローディングが完了する。その時点で、可動シャーシ９の貫通孔９ｃ、小判型の貫通孔９ｄに、ディスクトレー１の裏面に設けられた６個の凸部１ａ〜１ｆの内、凸部１ａ，１ｂが挿入され、可動シャーシとディスクトレーが位置決めされる。このため、ディスクトレー裏面の凸部と、前記インシュレータの開口部との位置決めが正確になされ、インシュレータ１０の４つの中空部１０ｃに、ディスクトレー１の裏面の残りの凸部１ｃ，１ｄ，１ｅ，１ｆが挿入される。こうして、インシュレータ１０の変形規制部を正確に位置決めすることが可能となる。
【００３５】
この位置決めを目的としたディスクトレー１の裏面の凸部１ａ，１ｂの２個と可動シャーシ９の貫通孔９ｃ，９ｄはディスクトレー１側を孔に、可動シャーシ９側を凸部にしてもよく、また、両方に孔と凸部を１個ずつ設けてもよい。また、上記貫通孔は凸部が填まり込む凹部であってもよい。
【００３６】
つぎに、図５を参照して他のインシュレータの構成について説明する。
インシュレータ２０は碗型であって、上方にはメカシャーシ２８を取り付けるための括れ部２０ａ、底面中央には貫通孔２０ｂが設けられ、例えばビス等の取付け部材２２により可動シャーシ２９に取り付けられている。インシュレータの外周部に取り付けるより、底部に取り付ける方が安定性もよく、ビスによる強固な固定が可能となる。こうして、メカシャーシと可動シャーシとの振動絶縁を向上させることが可能となる。
【００３７】
碗の内側上方にはインシュレータ２０の中心に向かって凸部２０ｄが形成してあり、ディスクトレー２１の裏面に設けられたインシュレータ２０の変形を規制する凸部２１ｃ〜２１ｆが上記凸部２０ｄに対し、僅かに離間する位置にある。その他は前述した実施形態の内容と同様であるので、説明は省略する。
【００３８】
【発明の効果】
本発明によれば、可動シャーシとディスクトレーが正確に位置決めされるので、ディスクトレー裏面の凸部と、前記インシュレータの開口部とが正確に位置決めされ、ディスクトレー裏面の凸部がインシュレータの開口部に挿入されて、インシュレータ変形を規制する。インシュレータ変形規制部を、ディスクトレーに設けたことで、設計自由度が高く、振動を効果的に減衰することが可能となる。
【００３９】
また、請求項３の発明にあっては、碗形状のインシュレータの底部に可動シャーシに取り付けることにより、より強固な固定が可能となり、効果的に振動を減衰することが可能となる。
【００４０】
さらに、請求項４の発明にあっては、インシュレータの凸部を弾性体で構成するので、ディスク装置の縦置き時の耐振特性を最適化することができる。
【図面の簡単な説明】
【図１】本発明に係わるディスク装置の断面図であって、（ａ）はディスクのローディング前の状態であり、（ｂ）はローディング中の状態であり、（ｃ）はローディング後の状態である。
【図２】ディスクトレーの裏面を示す平面図である。
【図３】メカユニットを示す平面図である。
【図４】本発明に係わるディスク装置のインシュレータ部の拡大図である。
【図５】本発明に係わるディスク装置の他の構成によるインシュレータ部の拡大図である。
【図６】従来のディスク装置の断面図であって、（ａ）はディスクのローディング前の状態であり、（ｂ）はローディング中の状態であり、（ｃ）はローディング後の状態である。
【図７】従来のディスク装置のインシュレータ部の拡大図である。
【符号の説明】
１  ディスクトレー
２  光ディスク
３  メカユニット
５  ターンテーブル
８  メカシャーシ
９  可動シャーシ
５９ｃｂ、１０ｄ、１ａ〜１ｆ、２０ｄ、６０ｄ、２１ｃ〜２１ｆ  凸部
１０  インシュレータ
１０ｃ  中空部
【図１】
0003553328.tif 000002
【図２】
0003553328.tif 000003
【図３】
0003553328.tif 000004
【図４】
0003553328.tif 000005
【図５】
0003553328.tif 000006
【図６】
0003553328.tif 000007
【図７】
0003553328.tif 000008